(57)【特許請求の範囲】
【請求項１】
扉保持体に連結された扉に固定される扉用錠装置であって、
ラッチ収容部に収容され、扉保持体側に設けられた錠受け部との係止位置側に付勢されて錠受け部との係脱位置間で並進移動自在なラッチ部材からなる施錠体と、
施錠状態において前記施錠体の係止状態を保持して錠受け部の脱離を規制するとともに、解錠操作により係止解除位置まで移動操作可能なシリンダ錠と、
前記施錠体とラッチ収容部との摺接面に形成される機械的噛合部からなり、施錠体が錠受け部との係止面に錠受け部脱離方向の押圧力を受けてラッチ収容部内で当該方向に押し込まれた際に噛合して該施錠体の係脱方向への移動抵抗を付与する抵抗付与部と、
を有する扉用錠装置。
【請求項２】
前記錠受け部との係止面は、自由端に行くに従って漸次錠受け部の脱離方向に向かう傾斜面により形成される請求項１記載の扉用錠装置。
【請求項３】
前記抵抗付与部は、施錠体の錠受け部との係止面に対する反対面と、当該反対面の摺接面に形成される山形凹凸面からなる請求項１または２記載の扉用錠装置。
【請求項４】
シリンダ錠を備え、遊技機の装置本体に連結される扉に固定される錠装置と、
連結リンクを介してシリンダ錠により遠隔操作されて装置本体に形成される被係止部に係脱可能な係止部材とを有し、
前記錠装置には、施錠状態において装置本体に設けられた錠受け部に係止解除不能に係止し、解錠操作により係止解除する施錠体が設けられ、
かつ、前記施錠体と錠受け部のいずれか一方は、ラッチ収容部に収容され、他方との係脱位置間を係止位置側に付勢されて並進移動するラッチ部材として形成されるとともに、
前記ラッチ部材とラッチ収容部との摺接面には、機械的噛合部からなる抵抗付与部が形成され、
ラッチ部材には、係止面に錠受け部脱離方向の押圧力を受けてラッチ収容部内で当該方向に押し込まれた際に噛合する前記抵抗付与部から係脱方向への移動抵抗が付与される遊技機の扉構造。
【請求項５】
前記施錠体と錠受け部との少なくとも一方の係止面は、自由端に行くに従って漸次錠受け部の脱離方向に向かう傾斜面により形成される請求項４記載の遊技機の扉構造。
【発明の詳細な説明】
【技術分野】
【０００１】
本発明は、扉用錠装置に関するものである。
【背景技術】
【０００２】
例えば遊技機の扉を施解錠する扉用錠装置としては、特許文献１に記載のものが知られている。この従来例において、錠装置は、シリンダ錠と、鉤部材（係止部材）と、シリンダ錠により係止部材を遠隔操作するための長尺直杆状の連結リンクからなる鍵解錠伝達機構とを有する。鍵解錠伝達機構には伝達遮断機構が設けられ、一方の係止部材への不正な係止解除操作力を他方の係止部材に伝達させないことにより不正開扉操作を防止する。
【０００３】
しかし、この従来例において、シリンダ錠は連結リンクの作動をロックする機能しか有していないために、例えば、係止部材を個別に係止解除操作する等、外部からの直杆リンク、あるいは係止部材への直接操作による不正開扉操作を完全に規制することができないという問題がある。
【０００４】
また、上記問題を解決するために、連結リンクを利用することなくシリンダ錠により直接操作される係止爪により装置本体側のラッチを係止した錠装置としては、特許文献２に記載されたものが知られている。この従来例において、ラッチと係止爪との係止部は箱体により覆われ、外部からの不正操作が防止される。
【０００５】
しかし、この従来例において、扉はラッチと係止爪との係止により拘束されているために、錠装置の取付位置、あるいは装置本体と扉の相対位置のばらつきがあると、施錠時にラッチと係止爪との間に隙間が過大に発生し、扉のがたつきが大きくなり、ひいては、がたつきを利用した不正解錠操作が可能になることによる防犯性能の低下をもたらすという欠点がある。
【特許文献１】特開２０００-２８８２１４号公報
【特許文献２】特開２００４-２３６８０７号公報
【発明の開示】
【発明が解決しようとする課題】
【０００６】
本発明は、以上の欠点を解消すべくなされたものであって、施錠時の扉のがたつきの少ない扉用錠装置の提供を目的とする。また、本発明の他の目的は、不正開扉操作に対する耐性の高い扉用錠装置、および遊技機の扉構造の提供にある。
【課題を解決するための手段】
【０００７】
本発明によれば上記目的は、
扉保持体１に連結された扉２に固定される扉用錠装置８であって、
ラッチ収容部１３ｄに収容され、扉保持体１側に設けられた錠受け部３との係止位置側に付勢されて錠受け部３との係脱位置間で並進移動自在なラッチ部材からなる施錠体４と、
施錠状態において前記施錠体４の係止状態を保持して錠受け部３の脱離を規制するとともに、解錠操作により係止解除位置まで移動操作可能なシリンダ錠５と、
前記施錠体４とラッチ収容部１３ｄとの摺接面に形成される機械的噛合部からなり、施錠体４が錠受け部３との係止面４ａに錠受け部３脱離方向の押圧力を受けてラッチ収容部１３ｄ内で当該方向に押し込まれた際に噛合して該施錠体４の係脱方向への移動抵抗を付与する抵抗付与部６と、
を有する扉用錠装置８を提供することにより達成される。
【０００８】
扉２に固定されて使用される錠装置８は、例えば遊技機７等の装置本体１、あるいはドア枠等の扉保持体１に設けられた錠受け部３に施錠体４を係止させることにより閉扉状態を維持することができる。係止位置と係止解除位置との間で移動自在な施錠体４は、係止位置側に付勢されているために、図７（ｂ）に示すように、錠受け部３と施錠体４との係止面３ａ、４ａが傾斜面により形成されている場合には、閉扉操作に伴って錠受け部３が相対的に錠装置８に接近移動して係止可能領域に進入すると錠受け部３の進入深さにかかわらず、施錠体４と錠受け部３との接触状態が保障される。
【０００９】
この施錠体４と錠受け部３とが傾斜面を介して接触した係止状態で扉２を開こうとすると、施錠体４の錠受け部３との係止面４ａには錠受け部３の脱離方向の力が付与される。脱離方向の負荷が与えられると、抵抗付与部６は、施錠体４に係脱方向への移動を規制する抵抗力を与え、結果、施錠体４は錠受け部３との係止位置に留まる。
【００１０】
したがってこの発明において、扉２を閉じた状態で上記傾斜面を介した係止状態が成立すると、錠受け部３の係止位置にかかわらず、錠受け部３は脱離方向に移動することが不可能となる。錠受け部３の脱離方向への移動が規制されると、扉２は当該位置から開放方向に移動することが不可能となり、結果、施錠体４、錠受け部３、扉２の取付位置にばらつきが生じても、扉２のがたつきは完全に防止される。また、施錠体４の係止位置におけるがたの防止により、がたつきを利用した不正解錠操作が完全に困難になるために、防犯性能を高めることができる。
【００１１】
また、上記傾斜面は施錠体４と錠受け部３のいずれか一方に形成されていれば足り、錠受け部３側に形成する場合には、施錠体４に傾斜面を形成する必要はない。
【００１２】
抵抗付与部６は、錠受け部３との係止面４ａに錠受け部３の脱離方向の力が付与された際に施錠体４の係脱方向への移動を規制することができれば、施錠体４の移動を完全に拘束するものであってもよいが、錠受け部３の脱離方向負荷が与えられた条件下でシリンダ錠５による解錠操作を簡単な構成で可能にするためには、当該条件下でもシリンダ錠５による解錠操作が可能な程度の抵抗力に設定するのが望ましい。
【００１３】
すなわち、一般にシリンダ錠５に対する施解錠操作は、シリンダ錠５に解錠キーを押し入れた状態で解錠キーに回転操作を与えて行われるために、扉２を押し、施錠体４が錠受け部３から離隔する方向の力を加えながら行われる。したがって、解錠操作時に錠受け部３脱離方向力が付与されることはないが、抵抗付与部６が動作した状態でも施錠体４を移動可能としておくと、扉２を引きながら、すなわち、錠受け部３の脱離方向力を付与しながら解錠操作を行った場合であっても、操作力の力関係を適度に決定するだけで施錠体４の駆動ができる。
【００１４】
この場合、抵抗付与部６が動作した状態での施錠体４の移動抵抗力は、当該抵抗力と施錠体４に与えられる係止方向の付勢力の和が扉２を強制開放しようとした際に上記傾斜面に発生する係止解除方向の分力を超える値が下限値とされる。
【００１５】
抵抗付与部６は、錠受け部３の脱離方向負荷が施錠体４に作用すると、施錠体４は負荷方向に移動することを利用することにより簡単に構成することができ、例えば、施錠体４と施錠体４ガイドとの摺接面に摩擦体を配置したり、あるいは機械的噛合部を形成することにより実現できる。
【００１６】
摺接面への摩擦体の固定により、施錠体４に大きな負荷が与えられると、摩擦力による摺動抵抗が比例して大きくなり、移動抵抗として作用する。機械的噛合部の利用は、上記摺接面の双方に噛合可能な山形凹凸６ａ、６ｂを形成することにより実現できる。この場合、山形凹凸６ａ、６ｂは、負荷が大きくなると凹凸間の噛み込み力が大きくなって凹凸間の乗り越えに要する操作力が大きくなり、負荷が小さくなると、施錠体４の係止解除方向の操作力によって凹凸面上に発生する分力により噛み込みが解消しやすくなり、移動もしやすくなる。
【００１７】
さらに、施錠体４を拘束して移動不能とする構成は、上記山形凹凸６ａ、６ｂの傾斜を急峻にしたり、あるいは山形凹凸６ａ、６ｂに代えて、乗り越え方向の分力が発生しない凹凸形状にすることにより実現できる。
【００１８】
上述したように、傾斜面は必ずしも施錠体４に設ける必要はなく、錠受け部３側にのみ設けることも可能であるが、施錠体４を、錠受け部３との係脱位置間で並進移動するラッチ部材として形成し、錠受け部３との係止面４ａを、自由端に行くに従って漸次錠受け部３の脱離方向に向かう傾斜面により形成すると、どのような錠受け部３であっても扉２に錠装置８を取り付けるだけでがたつきを防止できるために、既存の装置等への適用が可能になる。
【００１９】
また、シリンダ錠５を備え、遊技機７の装置本体１に連結される扉２に固定される錠装置８と、
連結リンク９を介してシリンダ錠５により遠隔操作されて装置本体１に形成される被係止部１０に係脱可能な係止部材１１とを有し、
前記錠装置８には、施錠状態において装置本体１に設けられた錠受け部３に係止解除不能に係止し、解錠操作により係止解除する施錠体４が設けられ、
かつ、前記施錠体４と錠受け部３のいずれか一方は、ラッチ収容部１３ｄに収容され、他方との係脱位置間を係止位置側に付勢されて並進移動するラッチ部材として形成されるとともに、
前記ラッチ部材とラッチ収容部１３ｄとの摺接面には、機械的噛合部からなる抵抗付与部６が形成され、
ラッチ部材には、係止面３ａ（４ａ）に錠受け部３脱離方向の押圧力を受けてラッチ収容部１３ｄ内で当該方向に押し込まれた際に噛合する前記抵抗付与部６から係脱方向への移動抵抗が付与される遊技機の扉構造を構成した場合には、不正開扉操作を行うためには、係止部材１１に加え、施錠体４への操作が必要となるために、防犯性を著しく向上させることができる。
【００２０】
この場合、前記施錠体４と錠受け部３との少なくとも一方の係止面３ａ、４ａは、自由端に行くに従って漸次錠受け部３の脱離方向に向かう傾斜面により形成されるように構成すると、係止部材１１と施錠体４とを各々がたつきなく係止することが可能となるために、扉２のがたつきを防止し、さらに、防犯性能を高めることができる。
【発明の効果】
【００２１】
本発明によれば、施錠時の扉のがたつきを少なくすることができる。
【発明を実施するための最良の形態】
【００２２】
図１に本発明が適用された遊技機７を示す。遊技機７は、装置本体（扉保持体１）の開口部１ａを扉２により開閉可能に閉塞して形成される。装置本体１には、板状の被係止部１０と、錠受け部３とが配置される。図１（ｂ）に示すように、錠受け部３の前端部（以下、本明細書において装置本体１への取付姿勢、すなわち図１（ａ）、（ｂ）を基準に前後、上下を定義する。）には、前面がガイド斜面３ｂ、後面が後述する施錠体４との係止面３ａとされるフック部３ｃが形成される。フック部３ｃのガイド斜面３ｂは前方に行くに従って漸次下方に向かう前下がりの傾斜面により形成され、係止面３ａは、後方に行くに従って漸次下方に向かう後ろ下がりの傾斜面により形成される。
【００２３】
８は取付プレート１２を介して扉２に固定される錠装置、１１は係止部材である。係止部材１１はフック形状に形成され、図１（ｂ）の上部において実線で示す係止姿勢と、同図において鎖線で示す係止解除姿勢との間で回転することができる。１１ａは係止部材１１を取付プレート１２に回転自在に連結する枢軸を示す。
【００２４】
９は係止部材１１を錠装置８により遠隔操作するための連結リンクであり、一端が錠装置８に、他端が係止部材１１に連結される。連結リンク９は装置への解錠操作により図１（ｂ）において上方に移動し、係止部材１１を係止解除姿勢方向に駆動する。この連結リンク９は、図外のばねにより下方に付勢されており、錠装置８が施錠状態のときに係止部材１１を係止姿勢に保持する。
【００２５】
したがってこの実施の形態において、開放状態の扉２を閉じると、図１（ｂ）、（ｃ）において矢印で示すように、錠装置８は装置本体１側に移動する。閉扉操作に伴って係止部材１１は被係止部１０に、後述する施錠体４は錠受け部３に各々当接し、被係止部１０に当接した係止部材１１は、一旦係止解除姿勢側に回転した後、原位置に復帰して被係止部１０に係止し、以後、閉扉状態が維持される。
【００２６】
図２以下に錠装置８を示す。錠装置８は、ベースプレート１３ａにカバー１３ｂを連結した錠ケース１３を有する。錠ケース１３には、図６（ａ）に示すように、後方に向けてストライク挿入孔１３ｅが開設され、さらに、ベースプレート１３ａに折曲形成された取付片１３ｃに取付フランジ５ａをねじ止めしてシリンダ錠５が固定される。シリンダ錠５は真正な解錠キーによってのみ回転操作可能なプラグを備え、プラグの終端に駆動カム１４が固定される。
【００２７】
図２、３に示すように、上記連結リンク９は、ベースプレート１３ａの背面に配置され、図３（ａ）に示すように、中央部にカム押圧片９ａを備える。シリンダ錠５のプラグは、図２（ｃ）において反時計回りが解錠回転方向に対応しており、図２（ｃ）に示す施錠状態からプラグを解錠回転方向に回転させると、図３（ｃ）に示すように、駆動カム１４がカム押圧片９ａを上方に押し上げる。カム押圧片９ａの押し上げにより連結リンク９は上方に引き上げられ、上述したように、係止部材１１は係止解除姿勢に向けて回転し、被係止部１０との係止が解除される。
【００２８】
また、ベースプレート１３ａの背面にはゲーム制御リンク１５が配置される。図３（ｂ）に示すように、ゲーム制御リンク１５は、上記連結リンク９と同様にカム押圧片１５ａを備える。図２に示す施錠状態からプラグを時計方向に回転させると、図３（ｄ）に示すように、駆動カム１４によりゲーム制御リンク１５はカム押圧片１５ａが押されて下方に押し下がられる。ゲーム制御リンク１５には、装置本体１のゲーム制御スイッチ（図示せず）が連結され、該ゲーム制御リンク１５が降下すると、例えば、ゲームリセット操作がなされる。
【００２９】
図４に示すように、錠ケース１３にはラッチ収容部１３ｄが形成され、該ラッチ収容部１３ｄに施錠体４が上下方向移動自在に収容される。図５に示すように、施錠体４は、前面下部に係止面４ａを、後面下部にガイド斜面４ｂを有し、平面視ほぼ矩形状に形成される。施錠体４の係止面４ａは、上記錠受け部３の係止面３ａに合致する傾斜面により形成され、ガイド斜面４ｂは、錠受け部３のガイド斜面３ｂに合致する傾斜面により形成される。
【００３０】
また、施錠体４の左右両側壁には後方と下方に向けて開放される凹部４ｃが形成され、凹部４ｃの前部壁面に後述する錠ケース１３側の山形凹凸６ｂと協働して抵抗付与部６を構成する山形凹凸６ａが形成される。さらに、凹部４ｃにはストッパ４ｄが形成される。
【００３１】
以上のように形成される施錠体４は、図４（ｂ）に示すように、被駆動部４ｅを下方にした姿勢で装着され、上端部に配置される圧縮スプリング１６により下方に付勢される。施錠体４の下方ストローク終端は、カバー１３ｂとベースプレート１３ａの両方に形成される規制部１３ｇに施錠体４のストッパ４ｄが支承されて規制される。
【００３２】
一方、錠ケース１３には、施錠体４の山形凹凸６ａに正対する山形凹凸６ｂが形成される。図６に示すように、錠ケース１３側の山形凹凸６ｂは、一方がベースプレート１３ａに、他方がカバー１３ｂ側に形成される。
【００３３】
したがってこの実施の形態において、初期状態において施錠体４は圧縮スプリング１６により下方ストローク終端、すなわち係止位置に停止しており、当該係止位置におけるガイド斜面４ｂの閉扉操作時の軌跡上に錠受け部３のガイド斜面３ｂが配置される。
【００３４】
開放状態から扉２が閉じられると、錠装置８の施錠体４は水平方向に移動して錠受け部３に接近した後、ストライク挿入孔１３ｅから錠ケース１３内に錠受け部３を受容し、やがて、図７（ａ）に示すように、ガイド斜面４ｂが錠受け部３側のガイド斜面３ｂに衝接する。この状態からさらに閉扉操作を続けると錠受け部３により後進動を規制された施錠体４はラッチ収容部１３ｄ内で前方に押し出され、施錠体４と錠受け部３の山形凹凸６ａ、６ｂ同士が離隔する。ガイド斜面３ｂを介して施錠体４を水平方向に押し付ける力は、同時に施錠体４のガイド斜面４ｂに上方に向かう分力を発生させ、この上方分力により施錠体４は圧縮スプリング１６の反力に抗して上方に移動する。
【００３５】
次いで、さらに閉扉操作を続けると、図７（ｂ）に示すように、圧縮スプリング１６の復元力により下方に落ち込んで係止状態に移行する。係止状態において錠受け部３の係止面３ａと施錠体４の係止面４ａとは接触状態となり、この状態で扉２に開放操作力を与えると、施錠体４の係止面４ａには、錠受け部３が相対的に脱離する方向の負荷が発生する。この錠受け部３脱離方向の負荷により施錠体４はラッチ収容部１３ｄ内で後方に押し込まれて施錠体４と錠受け部３の山形凹凸６ａ、６ｂ同士は噛合状態となる。
【００３６】
この状態でさらに扉２に開放操作力を加えても、施錠体４の係止面３ａ、４ａに発生する上方への分力は、山形凹凸６ａ、６ｂ同士の噛合による上方への移動を規制する力に及ばないために、係止位置に留まり、扉２が開くことはない。
【００３７】
上述した係止面３ａ、４ａ同士の接触状態は、図７（ｃ）に示すように、錠受け部３と施錠体４の相対位置が変化しても、図７（ｃ）において実線で示す位置から鎖線で示す位置との間であれば出現する。この結果、閉扉状態における錠装置８、あるいは錠受け部３の取付位置が前後方向にばらつき（δ）があっても、扉２のがたつきの原因になることはない。
【００３８】
また、この実施の形態において、錠受け部３は錠装置８との上下方向の取付位置のばらつきに対する吸収能を有する。この吸収能をもたせるために、錠受け部３は図８に示すように、フック部３ｃが形成されるフック部材３ｄを錠受け基部３ｅに垂直回転自在に連結して形成される。なお、図８において３ｆはフック部材３ｄの枢軸を示す。フック部材３ｄの回転範囲を規制するために、フック部材３ｄにはピン３ｇが立設され、錠受け基部３ｅに形成された切欠３ｈに嵌合する。
【００３９】
図８（ａ）に示す誤差のない状態から、図８（ｂ）に示すように、錠受け部３の取付位置が相対的に上方にずれた場合には、フック部材３ｄはやや時計回りに回転して施錠体４に係止する。これに対し、錠受け部３が相対的に下方にずれて取り付けられた場合には、図８（ｃ）に示すように、まず、フック部３ｃの先端がストライク挿入孔１３ｅにより干渉してフック部材３ｄが時計回りに回転し、図８（ｄ）に示す姿勢で施錠体４に係止する。
【００４０】
以上のようにして成立した施錠体４と錠受け部３との係止状態を解除するために、錠ケース１３内には、駆動プレート１７が上下方向移動自在に装着される。図９（ａ）に示すように、駆動プレート１７は板状部材で、上下端にガイド片１７ａを有するとともに、側縁に駆動部１３ｇとカム噛合片１７ｃを備える。
【００４１】
この駆動プレート１７は、図４（ｂ）に示すように、ガイド片１７ａが錠ケース１３のガイド部１３ｆにガイドされて上下方向に移動自在であり、錠ケース１３への装着状態において駆動部１３ｇが施錠体４の被駆動部４ｅに対峙し、カム噛合片１７ｃは駆動カム１４の回転軌跡に干渉する位置に配置される。
【００４２】
図３（ｃ）、（ｄ）に示すように、カム噛合片１７ｃには、駆動カム１４に形成される送り突起１４ａが嵌合する送り孔１７ｄが開設されており、駆動カム１４の回転に伴って上下方向に駆動される。
【００４３】
図９（ａ）に示すように、施錠状態において駆動プレート１７は、駆動部１３ｇが係止位置にある施錠体４の被駆動部４ｅの直下に位置する。この状態からプラグを解錠方向に回転操作すると、駆動カム１４により駆動プレート１７は図９（ｂ）に示すように上方に押し上げられる。
【００４４】
駆動プレート１７の上方への移動により、施錠体４の被駆動部４ｅは駆動部１３ｇにより係止解除位置まで押し上げられる。係止解除位置において、施錠体４による錠受け部３の拘束が解消されるために、この状態から扉２を開くことができる。
【図面の簡単な説明】
【００４５】
【図１】遊技機を示す図で、（ａ）は正面図、（ｂ）は錠装置を（ａ）の１Ｂ方向から見た図、（ｃ）は（ｂ）の１Ｃ線矢視図である。
【図２】錠装置を示す図で、（ａ）は側面図、（ｂ）は正面図、（ｃ）は（ａ）の２Ｃ-２Ｃ線断面図である。
【図３】シリンダ錠の動作を示す図で、（ａ）は連結リンクを示す図、（ｂ）ゲーム制御リンクを示す図、（ｃ）は解錠状態における駆動カムを示す図、（ｄ）はゲームリセット状態における駆動カムを示す図である。
【図４】錠装置の断面図で、（ａ）は図２（ａ）の４Ａ-４Ａ線断面図、（ｂ）は図４（ａ）の４Ｂ-４Ｂ線断面図である。
【図５】施錠体を示す図で、（ａ）は側面図、（ｂ）は（ａ）の５Ｂ方向矢視図、（ｃ）は（ａ）の５Ｃ方向矢視図である。
【図６】抵抗付与部を示す図で、（ａ）は図４（ｂ）の６Ａ-６Ａ線断面図、（ｂ）は図４（ｂ）の６Ｂ-６Ｂ線断面図である。
【図７】施錠体の係止状態を示す図であり、（ａ）は係止途上を示す図、（ｂ）は係止完了状態を示す図、（ｃ）は係止位置のばらつきが吸収された状態を示す図である。
【図８】錠受け部を示す図である。
【図９】係止解除操作を示す図で、（ａ）は係止状態を示す図、（ｂ）は係止解除状態を示す図である。
【符号の説明】
【００４６】
１        扉保持体
２        扉
３        錠受け部
３ａ      係止面
４        施錠体
４ａ      係止面
５        シリンダ錠
６        抵抗付与部
７        遊技機
８        錠装置
９        連結リンク
１０      被係止部
１１      係止部材
【図１】
0004709669.tif 000002
【図２】
0004709669.tif 000003
【図３】
0004709669.tif 000004
【図４】
0004709669.tif 000005
【図５】
0004709669.tif 000006
【図６】
0004709669.tif 000007
【図７】
0004709669.tif 000008
【図８】
0004709669.tif 000009
【図９】
0004709669.tif 000010